(57)【要約】      （修正有）【課題】ネットワーク電話に対しスタンバイ時にオンラインラジオ局の音声を再生する機能を持たせ、ネットワーク電話により多くの機能とより高い利用価値を備えさせる方法を提供すること。【解決手段】電話着信または発信の情報があるか否かについて、ＣＰＵがネットワーク電話を継続的に監視し、該情報がある場合には、システムのオンラインラジオ局の再生モードを閉じるとともに、通常のネットワーク電話の発着信モードをアクティベートして、前記ＣＰＵにより前記システムと通話側の双方を接続させ、該双方が接続を切断したか否かを監視し、接続が切断していない場合は引き続き監視し、接続が切断された場合及び該情報がない場合は前記ＣＰＵによりシステムのオンラインラジオ局再生モードをアクティベートさせ、前記ＣＰＵによりシステムのオンラインラジオ局再生モードを実行させる。【選択図】図２
2005318475.tif 000002
【特許請求の範囲】
【請求項１】
ネットワーク電話でオンラインラジオ局を受聴する方法であって，
（ａ）電話着信または発信の情報があるか否かについて、ＣＰＵがネットワーク電話を継続的に監視し、該情報がある場合には、システムのオンラインラジオ局の再生モードを閉じるとともに、通常のネットワーク電話の発着信モードをアクティベートして次の手順に進み、該情報がない場合には（ｃ）に進む手順と，
（ｂ）前記ＣＰＵにより前記システムと通話側の双方を接続させるとともに、該双方が接続を切断したか否かを監視し、接続が切断していない場合は引き続き監視し、接続が切断された場合は次の手順に進む手順と，
（ｃ）前記ＣＰＵによりシステムのオンラインラジオ局再生モードをアクティベートさせる手順と，
（ｄ）前記ＣＰＵによりシステムのオンラインラジオ局再生モードを実行させる手順と，
（ｅ）前記ＣＰＵによりネットワーク電話を引き続き監視することにより電話着信または発信の情報があるか否かを検出し、該情報がある場合には、システムのオンラインラジオ局の再生モードを閉じるとともに、通常のネットワーク電話の発着信モードをアクティベートして（ｂ）に戻り、該情報がない場合には（ｄ）に戻る手順とを有することを特徴とするネットワーク電話でオンラインラジオ局を受聴する方法。
【請求項２】
前記オンラインラジオ局再生モードを実行させる方法には，
（１）前記ＣＰＵにより、ラジオ局情報を提供するウェブサイトにネットワークを介してネットワーク電話システムを接続させてから、前記システムにプリセットしたラジオチャンネルが記憶されているか否かを確認し、これがある場合には（５）に進み、これがない場合には次の手順に進む手順と，
（２）前記ＣＰＵにより、ウェブサイトから提供されたラジオ局メニューを液晶ディスプレイに表示させる手順と，
（３）前記ＣＰＵがラジオ局設定情報を取得した場合は、前記ラジオチャンネルを記憶させて（５）に進み、ラジオ局設定情報が取得されない場合は、次の手順に進む手順と，
（４）前記ＣＰＵにより、液晶ディスプレイに未設定のラジオ局の映像を表示させる手順と，
（５）前記ＣＰＵにより、設定したラジオ局にシステムを順次接続させ、接続できた場合は次の手順に進み、接続できなかった場合は、前記システムの接続を切断させるとともに（２）に戻る手順と、
（６）前記ＣＰＵにより、前記ラジオ局が伝送したリアルタイムな音声番組をスピーカーから流す手順とを有することを特徴とする請求項１に記載のネットワーク電話でオンラインラジオ局を受聴する方法。
【請求項３】
前記手順（２）には、前記ＣＰＵにより、予め記憶されたプロンプト音声がスピーカーから流れる手順をさらに有することを特徴とする請求項２記載のネットワーク電話でオンラインラジオ局を受聴する方法。
【請求項４】
前記手順（４）には、前記ＣＰＵにより、オンラインラジオ局再生モードを閉じる情報があるか否かを監視し、該情報がある場合は、液晶ディスプレイの未設定のラジオ局の画面を閉じるとともに、前記システムにオンラインラジオ局再生モードを閉じさせ、該情報がない場合は、液晶ディスプレイに設定時間まで画面を表示させてから該画面を閉じ、さらにオンラインラジオ局再生モードを閉じる手順をさらに有することを特徴とする請求項２記載のネットワーク電話でオンラインラジオ局を受聴する方法。
【発明の詳細な説明】
【技術分野】
【０００１】
本発明は、ネットワーク電話に関し、特にネットワーク電話にオンラインラジオ局を受聴させる方法に関する。
【背景技術】
【０００２】
インターネット・ネットワークを利用した情報の伝送や収集は非常に便利である。パーソナルコンピュータを用いてネットワークに接続し、例えばWindows Media Playerを使えば、映像音声を提供する様々なウェブサイトを選んで接続するだけで、各種の映像音声データを再生できる。オンラインラジオ局のウェブサイトは数多くあり、音楽番組を随時再生している。一般の利用者は、パーソナルコンピュータでネットワークを介してオンラインラジオ局のウェブサイトに接続し、該ラジオ局が再生した音声番組を受聴するものである。
【０００３】
ネットワーク電話は、ネットワークを利用して映像音声信号のリアルタイムな伝送を行うものである。ネットワーク電話に関する技術では、複数の特許がすでに公開されている。例えば台湾特許公告第５６４６２２号では、ネットワーク電話装置とネットワーク電話のダイヤルアップ方法が開示され、また台湾特許公告第４１６２０２号ではネットワーク電話通信システムが開示されている。
【０００４】
図１に示すように、通常のネットワーク電話はＣＰＵ１０を有し、該ＣＰＵはキーボード１１，信号コンバータ１２，フラッシュメモリ１３，液晶ディスプレイ１４，音響効果プロセッサ１５にそれぞれ接続されている。信号コンバータ１２はさらに、ネットワークに接続するためのネットワークに接続インターフェース１６に接続され、音響効果プロセッサ１５はアンプ１７とマイクロフォン１８にそれぞれ接続される。またアンプ１７はスピーカー１９に接続される。
【０００５】
このマクロフォン１８とスピーカー１９は電話機の受話器のマイクロフォンとスピーカーであってもよい。電源供給モジュール２０は各エレメントに必要な電力を供給する。キーボード１１には、ユーザーがＣＰＵ１０を制御してダイヤルアップや各種機能の設定を行うための各種キーが備わっている。信号コンバータ１２は、ネットワーク電話システム内の信号とネットワーク送信信号間の変換を行う。
【０００６】
例えば、マイクロフォン１８が受信した音声信号を音響効果プロセッサ１５で処理してから、ＣＰＵ１０が該信号コンバータ１２を制御して、該音声信号をネットワークで送信できる信号に変換し、ネットワーク接続インターフェース１６を介してネットワークに伝送する。さらにＣＰＵ１０は信号コンバータ１２を制御して、ネットワーク接続インターフェース１６を介して入力された映像音声信号を液晶ディスプレイ１４で再生できる映像音声信号および音響効果プロセッサ１５で処理できる音声信号に変換する。液晶ディスプレイ１４は画像を再生する。音響効果プロセッサ１５で処理された音声信号はアンプ１７増幅されてから、スピーカー１９に送信されスピーカー１９から音声が流れる。
【発明の開示】
【発明が解決しようとする課題】
【０００７】
ネットワーク電話は従来の電話と異なり、ネットワークに常時接続している状態にある。換言すれば、ネットワーク電話は未使用のときには電話着信または電話使用を待つスタンバイ状態にある。然るにこの未使用の空間は、他に有用に使用されているわけではない。情報製品がいずれも多機能多使用の趨勢にある昨今において、ネットワーク電話にはその機能や利用上さらに改善すべき余地がある。
【０００８】
そこで、本発明は、ネットワーク電話に対しスタンバイ時にオンラインラジオ局の音声を再生する機能を持たせ、ネットワーク電話により多くの機能とより高い利用価値を備えさせる、ネットワーク電話でオンラインラジオ局を受聴する方法を提供することを主な目的とする。
【課題を解決するための手段】
【０００９】
前記目的を達成するため、本発明のネットワーク電話でオンラインラジオ局を受聴する方法は、
ネットワーク電話でオンラインラジオ局を受聴する方法であって，
（ａ）電話着信または発信の情報があるか否かについて、ＣＰＵがネットワーク電話を継続的に監視し、該情報がある場合には、システムのオンラインラジオ局の再生モードを閉じるとともに、通常のネットワーク電話の発着信モードをアクティベートして次の手順に進み、該情報がない場合には（ｃ）に進む手順と，
（ｂ）前記ＣＰＵにより前記システムと通話側の双方を接続させるとともに、該双方が接続を切断したか否かを監視し、接続が切断していない場合は引き続き監視し、接続が切断された場合は次の手順に進む手順と，
（ｃ）前記ＣＰＵによりシステムのオンラインラジオ局再生モードをアクティベートさせる手順と，
（ｄ）前記ＣＰＵによりシステムのオンラインラジオ局再生モードを実行させる手順と，
（ｅ）前記ＣＰＵによりネットワーク電話を引き続き監視することにより電話着信または発信の情報があるか否かを検出し、該情報がある場合には、システムのオンラインラジオ局の再生モードを閉じるとともに、通常のネットワーク電話の発着信モードをアクティベートして（ｂ）に戻り、該情報がない場合には（ｄ）に戻る手順とを有することからなる。
又、前記オンラインラジオ局再生モードを実行させる方法には，
（１）前記ＣＰＵにより、ラジオ局情報を提供するウェブサイトにネットワークを介してネットワーク電話システムを接続させてから、前記システムにプリセットしたラジオチャンネルが記憶されているか否かを確認し、これがある場合には（５）に進み、これがない場合には次の手順に進む手順と，
（２）前記ＣＰＵにより、ウェブサイトから提供されたラジオ局メニューを液晶ディスプレイに表示させる手順と，
（３）前記ＣＰＵがラジオ局設定情報を取得した場合は、前記ラジオチャンネルを記憶させて（５）に進み、ラジオ局設定情報が取得されない場合は、次の手順に進む手順と，
（４）前記ＣＰＵにより、液晶ディスプレイに未設定のラジオ局の映像を表示させる手順と，
（５）前記ＣＰＵにより、設定したラジオ局にシステムを順次接続させ、接続できた場合は次の手順に進み、接続できなかった場合は、前記システムの接続を切断させるとともに（２）に戻る手順と、
（６）前記ＣＰＵにより、前記ラジオ局が伝送したリアルタイムな音声番組をスピーカーから流す手順とを有することが好適である。
又、前記手順（２）には、前記ＣＰＵにより、予め記憶されたプロンプト音声がスピーカーから流れる手順をさらに有することが好適である。
さらに、前記手順（４）には、前記ＣＰＵにより、オンラインラジオ局再生モードを閉じる情報があるか否かを監視し、該情報がある場合は、液晶ディスプレイの未設定のラジオ局の画面を閉じるとともに、前記システムにオンラインラジオ局再生モードを閉じさせ、該情報がない場合は、液晶ディスプレイに設定時間まで画面を表示させてから該画面を閉じ、さらにオンラインラジオ局再生モードを閉じる手順をさらに有することが好適である。
【発明の効果】
【００１０】
本発明は、通常のネットワーク電話にオンラインラジオ局の受聴機能を増加せたもので、ネットワーク電話の付加価値を高め、製品に高い利用価値をそなえさせ、消費者の購買意欲を高めるものである。
【発明を実施するための最良の形態】
【００１１】
次に本発明の実施の一例を図面を参照しながら詳細に説明する。
本発明は主に、ネットワーク電話システムに通常のネットワーク電話における発着信モードを実行させるほか、オンラインラジオ局再生モードを備えさせて、ネットワーク電話がスタンバイ状態のときにオンラインラジオ局再生モードを実行させ、オンラインラジオ局の音声番組を再生させる方法に関する。
【００１２】
図２に示すように、本発明のネットワーク電話システムでオンラインラジオ局の音声を再生する方法には次の手順が含まれる。（ａ）電話着信または発信の情報があるか否かについて、ＣＰＵがネットワーク電話を継続的に監視し、該情報がある場合には、システムのオンラインラジオ局の再生モードを閉じるとともに、通常のネットワーク電話の発着信モードをアクティベートして次の手順に進み、該情報がない場合には（ｃ）に進む、（ｂ）ＣＰＵがシステムと通話側の双方を接続させるとともに、該双方が接続を切断したか否かを監視し、接続が切断していない場合は引き続き監視し、接続が切断された場合は次の手順に進む、（ｃ）システムのオンラインラジオ局再生モードを実行させる、（ｅ）電話着信または発信の情報があるか否かについて、ＣＰＵがネットワーク電話システムを引き続き監視し、該情報がある場合には、システムのオンラインラジオ局の再生モードを閉じるとともに、通常のネットワーク電話の発着信モードをアクティベートして（ｂ）に戻り、該情報がない場合には（ｄ）に戻る。
【００１３】
図３を参照されたい。本発明のネットワーク電話システムにオンラインラジオ局再生モードを実行させる方法には次の手順が含まれる。（１）ＣＰＵによりラジオ局情報を提供するウェブサイトにネットワークを介してネットワーク電話システムを接続させるとともに、プリセットされたラジオチャンネルがシステムに記憶されているか否かを確認し、記憶されている場合は（５）に進み、記憶されていない場合は次の手順に進む、（２）ＣＰＵにより、予め記憶されているプロンプト音声をスピーカーから出させて、液晶ディスプレイにウェブサイトが提供するラジオ局メニューを表示させる、（３）ＣＰＵがラジオ局設定情報を取得した場合、該ラジオチャンネルを記憶させて（５）に進み、ラジオ局設定情報を取得されない場合、次のステップに進む、（４）ＣＰＵにより、液晶ディスプレイに未設定のラジオ局の映像を表示させるとともに、オンラインラジオ局の再生モードを閉じる情報の有無を監視し、該情報がある場合は、該液晶ディスプレイの該未設定ラジオ局の映像画面を閉じるとともに、オンラインラジオ局の再生モードを閉じさせ、該情報がない場合は、該液晶ディスプレイに該画面を所定時間まで表示させ、次いで画面を閉じるとともに、システムのオンラインラジオ局再生モードを閉じる、（５）ＣＰＵにより、システムを所定のラジオ局に順次接続させ、接続できたら次のステップに進み、接続できなかった場合はシステムの接続を切断し（２）に戻る、（６）ＣＰＵにより、該ラジオ局から伝送されたリアルタイムの音声番組をスピーカーから流す。
【００１４】
上記は本発明の技術内容を使用した実施例を示したにすぎず、本分野に詳しい技術者が本発明を用いて行ういかなる改良や変化も、本発明が求める権利請求の範囲に属するものであり、それは実施例に限られるべきではない。
【図面の簡単な説明】
【００１５】
【図１】従来のネットワーク電話の構造を示すブロック図である。
【図２】本発明に係るネットワーク電話システムを用いたオンラインラジオ局受聴方法のフロー図である。
【図３】本発明に係わるネットワーク電話システムを用いたオンラインラジオ局再生モードの実行方法を示すフロー図である。
【符号の説明】
【００１６】
１０  ＣＰＵ
１１  キーボード
１２  信号コンバータ
１３  フラッシュメモリ
１４  液晶ディスプレイ
１５  音響効果プロセッサ
１６  ネットワーク接続インターフェース
１７  アンプ
１８  マイク／送話器
１９  スピーカー／受話器
２０  電源供給モジュール
【図１】
2005318475.tif 000003
【図２】
2005318475.tif 000004
【図３】
2005318475.tif 000005